(57)【要約】【課題】　ＤＴＶストリーム生成のための情報を貯蔵する情報貯蔵媒体、ＤＴＶストリーム変換方法及びその装置を提供する。【解決手段】　マルチストリーム、ユーザとの相互作用を可能にする情報を含むインタラクティブコンテンツ及びマルチストリーム及び／またはインタラクティブコンテンツをＤＴＶストリームに変換するための変換情報を含む再生制御情報を貯蔵する情報貯蔵媒体上の再生制御情報を利用してマルチストリームとインタラクティブコンテンツとをＤＴＶストリームに変換する。よって、ＤＴＶのデータとは関係ない形式の独自規格を有する情報貯蔵媒体上の情報をＤＴＶで再生できる。【選択図】　　　図３
2004064787.tif 000002
【特許請求の範囲】
【請求項１】
　マルチストリームと、
　ユーザとの相互作用を可能にする情報を含むインタラクティブコンテンツと、
　前記マルチストリーム及び／またはインタラクティブコンテンツをＤＴＶストリームに変換するための変換情報を含む再生制御情報と、を貯蔵する情報貯蔵媒体。
【請求項２】
　前記マルチストリームはＭＰＥＧ−２プログラムストリーム、ＭＰＥＧ−４フォーマット、ＭＰＥＧ−７及び／またはウェーブレット変換フォーマットのストリームを含むことを特徴とする請求項１に記載の情報貯蔵媒体。
【請求項３】
　前記再生制御情報は、
　前記ＤＴＶストリーム変換のためにマルチストリームであるかインタラクティブコンテンツであるかを識別する識別情報と、
　前記ＤＴＶストリーム発生を制御するための制御情報を含むことを特徴とする請求項１に記載の情報貯蔵媒体。
【請求項４】
　前記再生制御情報は、
　前記マルチストリームとインタラクティブコンテンツとを再生するための管理情報及び検索情報を含む再生情報をさらに含むことを特徴とする請求項１に記載の情報貯蔵媒体。
【請求項５】
　前記再生制御情報は、
　前記マルチストリームとインタラクティブコンテンツとのタイプ情報と、
　前記マルチストリームとインタラクティブコンテンツとが同期されて再生され、同期されて変換されるための時間情報と、
　前記マルチストリームとインタラクティブコンテンツとが独立的に再生され、独立的に変換されるための時間情報と、
　前記マルチストリームとインタラクティブコンテンツとの等級情報と、
　前記マルチストリームとインタラクティブコンテンツとの開始時間、再生時間、タイトルなどの付加情報と、　
　前記マルチストリームとインタラクティブコンテンツとの付加説明のための情報と、をさらに含むことを特徴とする請求項４に記載の情報貯蔵媒体。
【請求項６】
　情報貯蔵媒体に記録されたデータをＤＴＶで再生可能にするための方法において、
　マルチストリーム、インタラクティブコンテンツ及び前記マルチストリーム及び／またはインタラクティブコンテンツをＤＴＶストリームに変換するための変換情報を含む再生制御情報を含む前記情報貯蔵媒体からマルチストリーム、インタラクティブコンテンツ及び再生制御情報を読み取る段階と、
　読み取ったマルチストリームをデジタルＴＶに適した伝送ストリームに変換する段階と、
　読み取ったインタラクティブコンテンツをＤＴＶ用インタラクティブコンテンツに変換する段階と、
　読み取った再生制御情報によって前記伝送ストリームと前記ＤＴＶ用インタラクティブコンテンツとを多重化してＤＴＶストリームに生じる段階と、を含むＤＴＶストリーム変換方法。
【請求項７】
　前記マルチストリームはＭＰＥＧ−２ＰＳ、ＭＰＥＧ−４フォーマット、ＭＰＥＧ−７及び／またはウェーブレット変換フォーマットのストリームを含むことを特徴とする請求項６に記載のＤＴＶストリーム変換方法。
【請求項８】
　前記伝送ストリーム変換段階ではＭＰＥＧ−２ＰＳをＭＰＥＧ−２ＴＳに変換することを特徴とする請求項７に記載のＤＴＶストリーム変換方法。
【請求項９】
　前記伝送ストリーム変換段階は、
　読み取ったＰＳデータからパック、ＰＥＳを分析してビデオＥＳ、オーディオＥＳを抽出し、パックからはＳＣＲを抽出し、ＰＥＳヘッダーからはＰＴＳ／ＤＴＳを抽出する段階と、
　前記ビデオ　ＥＳとオーディオ　ＥＳにＰＥＳ　ヘッダーを付け、前記ＰＴＳ／ＤＴＳに基づいた適切なタイムスタンプを挿入する段階と、
　最初のパックのＳＣＲ値にセッティングし、これを基準として次のパックのＳＣＲ値を利用して時間調整の如何を判定して時間調整信号を生じ、前記ＳＣＲを利用して得られるＰＣＲをサンプリングしてＰＳＩパケット周期信号とＰＣＲ挿入周期信号とを生じる段階と、
　前記タイムスタンプ挿入段階で得られた結果を前記ＰＣＲ挿入周期信号によってＡＶパケットを生成し、ＰＡＴパケット、ＰＭＴパケット、ヌルパケットを生成する段階と、
　前記ＡＶパケット、ＰＡＴパケット、ＰＭＴパケット、ヌルパケットを適当に分配するが、前記ＡＶパケットは前記時間調整信号の有無によって時間調整の如何を決定し、前記ＰＡＴパケットとＰＭＴパケットとは前記ＰＳＩパケット周期信号が生じる時度に交互に分配する段階と、
　前記ＡＶパケット、ＰＡＴパケット、ＰＭＴパケット、ヌルパケットを多重化してＭＰＥＧ−ＴＳを生じる段階と、を含むことを特徴とする請求項８に記載のＤＴＶストリーム変換方法。
【請求項１０】
　前記ＤＴＶ用インタラクティブコンテンツ変換段階は、
　前記情報貯蔵媒体に貯蔵されたインタラクティブコンテンツ、すなわち、ソース文書の有効性を検証する段階と、
　前記ソース文書が有効であればソース文書内の各コメントと処理指示語、文書タイプ宣言、開始タグ、終了タグ、明示された文字参照、数字参照、マークされたセクションと分析された文字データとをＤＴＶ用文書フォーマットに変換して目標文書、すなわち、ＤＴＶ用インタラクティブコンテンツを生成する段階と、を含むことを特徴とする請求項６に記載のＤＴＶストリーム変換方法。
【請求項１１】
　前記ＤＴＶストリーム発生段階は、
　前記伝送ストリームと前記ＤＴＶ用インタラクティブストリームとはＤＳＭ−ＣＣ規格に変換してＤＳＭ−ＣＣメッセージを生成する段階と、
　前記再生制御情報に含まれたＤＴＶストリーム変換と関連した情報と入力されるＰＡＴとＰＭＴ情報とを利用してＰＳＩＰ情報を構成する段階と、
　生成されたＰＳＩＰ情報をＰＳＩＰユーザ定義セクションに変換する段階と、
　前記ＰＳＩＰユーザ定義セクションと前記ＤＳＭ−ＣＣメッセージとを前記ＭＰＥＧ−２ＴＳと多重化してＤＴＶストリームを生成する段階と、を含むことを特徴とする請求項６に記載のデータストリーム変換方法。
【請求項１２】
　情報貯蔵媒体に記録されたデータをＤＴＶで再生可能にするための光記録／再生装置において、
　マルチストリーム、インタラクティブコンテンツ及び前記マルチストリーム及び／またはインタラクティブコンテンツをＤＴＶストリームに変換するための変換情報を含む再生制御情報を含む情報貯蔵媒体から前記マルチストリーム、インタラクティブコンテンツ及び再生制御情報を読み取る読取り部と、
　前記読取り部によって読み取られたマルチストリームをＤＴＶに適した伝送ストリームに変換する第１トランスコーダと、
　前記読取り部によって読み取られたインタラクティブコンテンツをＤＴＶ用インタラクティブコンテンツに変換する第２トランスコーダと、
　前記読取り部によって読み取られた再生制御情報によって前記第１及び第２トランスコーダの出力を多重化してＤＴＶストリームに生成する生成器と、を含むＤＴＶストリーム変換装置。
【請求項１３】
　前記生成器で生成されたＤＴＶストリームをＤＴＶに伝送可能にインタフェースするデジタルインタフェースをさらに含む請求項１２に記載のＤＴＶストリーム変換装置。
【請求項１４】
　前記マルチストリームはＭＰＥＧ−２ＰＳ、ＭＰＥＧ−４フォーマット、ＭＰＥＧ−７及び／またはウェーブレット変換フォーマットのストリームを含むことを特徴とする請求項１２に記載のＤＴＶストリーム変換装置。
【請求項１５】
　前記第１トランスコーダではＭＰＥＧ−２ＰＳをＭＰＥＧ−２ＴＳに変換することを特徴とする請求項１４に記載のＤＴＶストリーム変換装置。
【請求項１６】
　前記第１トランスコーダは、
　前記読取り部で読み取られたＰＳデータからパック、ＰＥＳを分析してビデオＥＳ、オーディオＥＳを抽出し、パックからはＳＣＲを抽出し、ＰＥＳヘッダーからはＰＴＳ／ＤＴＳを抽出するＰＳ分析及び逆多重化器と、
　前記ＰＳ分析及び逆多重化器から出力されるビデオＥＳからシーケンススタートコードとピクチャースタートコードとを検索してアクセス単位で第１認識信号を生成してＰＴＳ／ＤＴＳを抽出するビデオ再配列器と、
　前記ＰＳ分析及び逆多重化器から出力されるオーディオＥＳからオーディオ同期情報によってフレームサイズを求めた後、アクセス単位で第２認識信号を生成してＰＴＳを抽出するオーディオ再配列器と、
　前記ビデオ再配列器と前記オーディオ再配列器との出力を前記第１認識信号と第２認識信号とによってアクセス単位でＰＥＳヘッダーを付け、前記ビデオ再配列器から抽出されたＰＴＳ／ＤＴＳに基づいた適切なタイムスタンプを求めて挿入するＰＥＳパケット化器と、　
　前記ＰＳ分析及び逆多重化器から提供される最初のパックのＳＣＲ値を基準として次のＳＣＲ値を利用して前記ＡＶパケットの時間調整の如何を判定して時間調整信号を生じ、前記ＳＣＲを利用して得られるＰＣＲをサンプリングしてＰＳＩパケット周期信号とＰＣＲ挿入周期信号とを生じる時間制御器と、
　前記ＰＥＳパケット化器の出力を前記ＰＣＲ挿入周期信号によってＡＶパケットを生成するＡＶパケット生成器と、
　ＰＡＴパケットを生成するＰＡＴパケット生成器と、
　ＰＭＴパケットを生成するＰＭＴ生成器と、
　ヌルパケットを生成するヌルパケット生成器と、
　前記ＡＶパケット、ＰＡＴパケット、ＰＭＴパケット、ヌルパケットを適当に分配するが、前記ＡＶパケットは前記時間調整信号の有無によって時間調整の如何が決定され、前記ＰＡＴパケットとＰＭＴパケットとを前記ＰＳＩパケット周期信号が生じる度に交互に分配してパケット選択信号を生じるＴＳパケット分配器と、
　前記パケット選択信号によってＡＶパケット、ＰＡＴパケット、ＰＭＴパケット、ヌルパケットを多重化してＭＰＥＧ−２ＴＳを出力するＴＳ多重化器と、を含む請求項１５に記載のＤＴＶストリーム変換装置。
【請求項１７】
　前記ＴＳパケット分配器の優先順位はＡＶパケット＞ＰＡＴパケット、ＰＭＴパケット＞ヌルパケットであることを特徴とする請求項１６に記載のＤＴＶストリーム変換装置。
【請求項１８】
　前記第２トランスコーダでは前記情報貯蔵媒体に貯蔵されたインタラクティブコンテンツ、すなわち、ソース文書の有効性を検証し、前記ソース文書が有効であればソース文書内の各コメントと処理指示語、文書タイプ宣言、開始タグ、終了タグ、明示された文字参照、数字参照、マークされたセクション及び分析された文字データをＤＴＶ用文書フォーマットに変換して目標文書、すなわち、ＤＴＶ用インタラクティブコンテンツを生成することを特徴とする請求項１２に記載のＤＴＶストリーム変換装置。
【請求項１９】
　前記生成器は前記第１トランスコーダで生成された伝送ストリームと前記第２トランスコーダで生成されたＤＴＶ用インタラクティブストリームとをＤＳＭ−ＣＣ規格に変換してＤＳＭ−ＣＣメッセージを生成し、前記再生制御情報に含まれたＤＴＶストリーム変換と関連した情報と前記第２トランスコーダで生成されるＰＡＴとＰＭＴ情報とを利用してＰＳＩＰ情報を構成し、生成されたＰＳＩＰ情報をＰＳＩＰユーザ定義セクションに変換し、前記ＰＳＩＰユーザ定義セクションと前記ＤＳＭ−ＣＣメッセージとを前記ＴＳ多重化器から出力されるＭＰＥＧ−２ＴＳと多重化してＤＴＶストリームを生成することを特徴とする請求項１６に記載のＤＴＶストリーム変換装置。
【発明の詳細な説明】
【技術分野】
【０００１】
　本発明は、光記録／再生装置において、デジタルテレビ（以下、ＤＴＶという）ストリーム生成のための情報を貯蔵する情報貯蔵媒体、ＤＴＶストリーム変換方法及びその装置に係り、特に、マルチストリーム、インタラクティブコンテンツと再生制御情報を貯蔵する情報貯蔵媒体とその情報貯蔵媒体に貯蔵された情報をＤＴＶで再生可能なビットストリームに変換する方法及びその装置に関する。
【背景技術】
【０００２】
　従来のＤＶＤ−ビデオディスクのようなＲＯＭタイプの情報貯蔵媒体及びそれを再生する再生装置はＤＴＶで再生できるデータと情報構造、及び装置を有していないためにＤＴＶへの直接的な再生が可能ではなかった。ＤＶＤ−ビデオ再生装置のブロック図は図１に示されている。
【０００３】
　図１を参照するに、ＤＶＤ−ビデオ再生装置は光ディスク１１、一例として、ＤＶＤ−ビデオディスクからデータを読み取る読取り部１２、ユーザインタフェースによってユーザの命令を入力して命令制御信号をプレゼンテーション／ナビゲーションエンジン１３に提供する制御器１４よりなっている。ここで、プレゼンテーション／ナビゲーションエンジン１３は光ディスク１１から読取り部１２によって読み取られたユーザインタフェース及び再生シーケンスを管理する再生制御情報を解析して実行するナビゲーションエンジンと選択された再生シーケンスによって光ディスク１１から読み取られたメーンビットストリーム及びインタラクティブコンテンツをデコーディングするプレゼンテーションエンジンとを含んでいる。すなわち、ナビゲーションエンジンでユーザインタフェース及び再生シーケンスを管理し、ナビゲーションエンジンによって選択されたタイトルまたはプログラムに表現されるマルチストリームとインタラクティブコンテンツとがプレゼンテーションエンジンを通じてデコーディングされて再生される。
【０００４】
　ここで、ＤＶＤ−ビデオディスクのような従来のＲＯＭタイプの情報貯蔵媒体はＤＴＶのデータとは関係ない形式を有する独自規格を有する。したがって、デジタルインタフェースを利用してＲＯＭタイプの情報貯蔵媒体に貯蔵された情報をＤＴＶに提供する場合、ＤＴＶが解析してプレゼンテーションできる情報構造を有するビットストリームに変換しなければならない。しかし、従来のＲＯＭタイプの情報貯蔵媒体はＤＴＶ再生のためのデータ形式と情報構造とを有していない。したがって、ＲＯＭタイプの情報貯蔵媒体を再生する従来の再生装置では貯蔵されたデータをＤＴＶで再生可能な信号に変換するのが不可能であった。
【発明の開示】
【発明が解決しようとする課題】
【０００５】
　したがって、本発明の目的は、マルチストリーム、インタラクティブコンテンツ及びＤＴＶストリームに変換するための変換情報を含む再生制御情報を貯蔵する情報貯蔵媒体を提供するところにある。
【０００６】
　本発明の他の目的はマルチストリーム、インタラクティブコンテンツ及び再生制御情報を貯蔵する光ディスクに記録されたデータをＤＴＶで再生可能なストリーム（以下、ＤＴＶストリームという）に変換する方法及びその装置を提供するところにある。
【課題を解決するための手段】
【０００７】
　本発明によると、前記目的はマルチストリームと、ユーザとの相互作用を可能にする情報を含むインタラクティブコンテンツと、前記マルチストリーム及び／またはインタラクティブコンテンツとをＤＴＶストリームに変換するための変換情報を含む再生制御情報を貯蔵する情報貯蔵媒体によって達成される。
【０００８】
　本発明の他の分野によると、前記目的は情報貯蔵媒体に記録されたデータをＤＴＶで再生可能にするための方法において、（ａ）マルチストリーム、インタラクティブコンテンツ及び前記マルチストリーム及び／またはインタラクティブコンテンツをＤＴＶストリームに変換するための変換情報を含む再生制御情報を含む前記情報貯蔵媒体からマルチストリーム、インタラクティブコンテンツ及び再生制御情報を読み取る段階と、（ｂ）読み取ったマルチストリームをデジタルＴＶに適した伝送ストリームに変換する段階と、（ｃ）読み取ったインタラクティブコンテンツをＤＴＶ用インタラクティブコンテンツに変換する段階と、（ｄ）読み取った再生制御情報によって前記（ｂ）段階で変換された伝送ストリームと前記（ｃ）段階で変換されたＤＴＶ用インタラクティブコンテンツとを多重化してＤＴＶストリームに生じる段階と、を含むＤＴＶストリーム変換方法によって達成される。
【０００９】
　本発明のさらに他の分野によると、前記目的は情報貯蔵媒体に記録されたデータをＤＴＶで再生可能にするための光記録／再生装置において、マルチストリーム、インタラクティブコンテンツ及び前記マルチストリーム及び／またはインタラクティブコンテンツをＤＴＶストリームに変換するための変換情報を含む再生制御情報を含む前記情報貯蔵媒体から前記マルチストリーム、インタラクティブコンテンツ及び再生制御情報を読み取る読取り部と、前記読取り部によって読み取ったマルチストリームをＤＴＶに適した伝送ストリームに変換する第１トランスコーダと、前記読取り部によって読み取ったインタラクティブコンテンツをＤＴＶ用インタラクティブコンテンツに変換する第２トランスコーダと、前記読取り部によって読み取った再生制御情報によって前記第１及び第２トランスコーダの出力を多重化してＤＴＶストリームに生成する生成器とを含むＤＴＶストリーム変換装置によって達成される。
【発明の効果】
【００１０】
　本発明はマルチストリーム、インタラクティブコンテンツ及びＤＴＶストリーム生成のための情報を有する再生制御情報を含む情報貯蔵媒体を提案し、その情報貯蔵媒体に記録された再生制御情報を利用してマルチストリームとインタラクティブコンテンツとをＤＴＶストリームに変換することによってＤＴＶのデータとは関係ない形式を有する独自規格を有する情報貯蔵媒体上の情報をＤＴＶで再生できる。
【発明を実施するための最良の形態】
【００１１】
　以下、図面を参照して本発明の望ましい実施例を説明する。
【００１２】
　図２は、本発明による情報貯蔵媒体に記録されたデータの一例である。光ディスク２０上はマルチストリーム２１、インタラクティブコンテンツ２２及びナビゲーション情報２３で構成され、それぞれ別のストリームに存在する。マルチストリーム２１は全てのオーディオ及び／またはビデオ（ＡＶ）ストリーム、サブピクチャーデータなどを意味する。ＡＶストリームは、例えば、ＭＰＥＧ（Ｍｏｖｉｎｇ　Ｐｉｃｔｕｒｅ　Ｅｘｐｅｒｔｓ　Ｇｒｏｕｐ）−２ＰＳ（Ｐｒｏｇｒａｍ　Ｓｔｒｅａｍ）、ＭＰＥＧ−４、ＭＰＥＧ−７とウェーブレットトランスフォームなどの伝送フォーマットを有しうる。インタラクティブコンテンツ２２はユーザとの相互作用が重視されるコンテンツであって、例えば、ＨＴＭＬ、ＸＨＴＭＬ及びＸＭＬのようなマークアップ文書ファイルとこれらマークアップ文書ファイルに従属されたＪＰＥＧ（Ｊｏｉｎｔ　Ｐｈｏｔｏｇｒａｐｈｉｃ　Ｅｘｐｅｒｔｓ　Ｇｒｏｕｐ）やＰＮＧ（Ｐｏｒｔａｂｌｅ　Ｎｅｔｗｏｒｋ　Ｇｒａｐｈｉｃｓ）のようなファイル全体を意味する。ナビゲーション情報（言い換えれば、再生制御情報ともいう）２３はマルチストリーム２１とインタラクティブコンテンツ２２とを再生するための管理情報と検索情報とを含む再生情報とＤＴＶストリームに変換するための変換と関連した全ての情報を含む。ナビゲーション情報２３はマルチストリーム２１とインタラクティブコンテンツ２２とが同期して変換され、相互関連付けて変換されるように相関関係を定義した情報を含む。また、ナビゲーション情報２３はマルチストリームであるかインタラクティブコンテンツであるかを識別する情報を含み、ＤＴＶストリーム生成を制御するための制御情報を含む。
【００１３】
　したがって、ナビゲーション情報２３は次のような情報を含む。マルチストリームとインタラクティブコンテンツとのタイプ情報を含み、マルチストリームとインタラクティブコンテンツとが同期して再生され、同期して変換されるための時間情報を含み、マルチストリームとインタラクティブコンテンツとが独立的に再生され、独立的に変換されるための時間情報を含み、マルチストリームとインタラクティブコンテンツとの等級情報（視聴者の年齢による等級情報）を含み、マルチストリームとインタラクティブコンテンツとの開始時間、再生時間、タイトルなどの情報を含み、マルチストリームとインタラクティブコンテンツとの付加説明のための情報を含む。
【００１４】
　図３は、本発明によるＤＴＶストリーム変換装置の一実施例によるプロック図である。読取り部３１は光ディスク２０上の情報、すなわち、図２で説明されたマルチストリーム２１、インタラクティブコンテンツ２２及びナビゲーション情報２３を読み取り、読み取った情報を信号処理部３２に提供する。信号処理部３２は読み取った情報を再生信号処理してナビゲーション情報２３をナビゲーションエンジン３３に、マルチストリーム２１を第１トランスコーダ３４に、インタラクティブコンテンツ２２を第２トランスコーダ３５にそれぞれ伝送する。ナビゲーションエンジン３３は信号処理部３２から提供されるナビゲーション情報によってＤＴＶストリーム発生器３６を制御する。
【００１５】
　第１トランスコーダ３４は信号処理部３２から提供されるマルチストリームをＭＰＥＧ−２ＴＳに変換する。ＭＰＥＧ−２　ＰＳをＭＰＥＧ−ＴＳに変換する第１トランスコーダ３４の詳しい構成の一例については図４で詳しく説明する。
【００１６】
　第２トランスコーダ３５は読取り部３１によって読み取ったインタラクティブコンテンツをＤＴＶ用インタラクティブコンテンツに変換する。第２トランスコーダ３５は後述する過程を通じてソース文書のＨＴＭＬをＤＴＶ用ＨＴＭＬに変換できる。
【００１７】
　第１段階（ｓｔｅｐ　１）：ソース文書（例、ＨＴＭＬ文書）の有効性を検証する。
【００１８】
　第２段階（ｓｔｅｐ　２）：ソース文書が有効であれば、ソース文書内の各コメント、処理指示語、文書タイプ宣言、開始タグ、終了タグ、明示された文字参照、数字参照、マークされたセクションと＃ＰＣＤＡＴＡ（Ｐａｒｓｅｄ　ｔｈｅ　Ｃｈａｒａｃｔｅｒ　Ｄａｔａ）コンテンツをＤＴＶ−ＨＴＭＬフォーマットに適合に変換した後、結果値を目標文書（ＤＴＶ−ＨＴＭＬ文書）に出力する。ただ、この段階を遂行する間、オープンエレメント（開始タグや終了タグのないタグ）はソース文書で省略されている開始タグを適用したり、ソース文書で省略されている終了タグを適用するためにスタックを維持させる。
【００１９】
　ディスクに含まれたＨＴＭＬ文書の一例は次の通りである。
【００２０】
【表１】
2004064787.tif 000003
　光ディスクに貯蔵されたＨＴＭＬ文書が第２トランスコーダ３５で前述した過程（段階１、段階２）を経た後、変換されたＤＴＶ−ＨＴＭＬ文書の例は次の通りである。
【００２１】
【表２】
2004064787.tif 000004
　ＤＴＶストリーム生成器３６は第１トランスコーダ３４で生成されたＭＰＥＧ−２ＴＳストリームと第２トランスコーダ３５で生成されたＤＴＶ用ＨＴＭＬデータとをナビゲーションエンジン３３から提供されるＤＴＶストリームに変換するための変換と関連した情報によってＤＴＶストリームに生成し、生成されたＤＴＶストリームは両方向に入力可能なデジタルインタフェース３７を通じてＤＴＶに伝送される。デジタルインタフェース３７としては一例にＩＥＥＥ　１３９４インタフェースを使用できる。
【００２２】
　すなわち、ＤＴＶストリーム生成器３６は第２トランスコーダ３５で生成されたデータ（一例にＤＴＶ用ＨＴＭＬデータ）をＤＳＭ−ＣＣ（Ｄｉｇｉｔａｌ　Ｓｔｏｒａｇｅ　Ｍｅｄｉａ　Ｃｏｍｍａｎｄ　ａｎｄ　Ｃｏｎｔｒｏｌ）規格に変換してＤＳＭ−ＣＣメッセージを生成する。ナビゲーションエンジン３３から提供されるナビゲーション情報２３に含まれたＤＴＶストリームに変換するための変換情報と図４に示す第１トランスコーダ３４で生成されるＰＡＴ（Ｐｒｏｇｒａｍ　Ａｓｓｏｃｉａｔｉｏｎ　Ｔａｂｌｅ）情報とＰＭＴ（Ｐｒｏｇｒａｍ　Ｍａｐ　Ｔａｂｌｅ）情報とを利用してＰＳＩＰ（Ｐｒｏｇｒａｍ　ａｎｄ　Ｓｙｓｔｅｍ　Ｉｎｆｏｒｍａｔｉｏｎ　Ｐｒｏｔｏｃｏｌ）情報を構成する。生成されたＰＳＩＰ情報をユーザ定義セクションに変換する。ＰＳＩＰユーザ定義セクションとＤＳＭ−ＣＣメッセージとをＭＰＥＧ−２ＴＳと多重化してＤＴＶストリームを生成する。
【００２３】
　付加的に、ＰＳＩＰはＡＴＳＣ（Ａｄｖａｎｃｅｄ　Ｔｅｌｅｖｉｓｉｏｎ　Ｓｙｓｔｅｍ　Ｃｏｍｍｉｔｔｅｅ）で定義している規格であって、放送されるＭＰＥＧ−２伝送ストリームについての情報とプログラム案内ＥＰＧの伝送のために使われる。ＰＳＩＰで定義したテーブルはＭＰＥＧ−２システムで定義しているユーザ定義テーブルの規格に基づいて作成されて、プログラムを構成するＡ／Ｖデータと共に多重化されて伝送される。
【００２４】
　ＰＳＩＰで定義したテーブルを述べれば次の通りである。現在、日付と時間とを伝送するために使われるシステム時間テーブル（Ｓｙｓｔｅｍ　Ｔｉｍｅ　Ｔａｂｌｅ、ＳＴＴ）、伝送されるテーブルのバージョンと以後に伝送されるテーブルのＴＳパケット識別子を収録する主案内テーブル（Ｍａｓｔｅｒ　Ｇｕｉｄｅ　Ｔａｂｌｅ、ＭＧＴ）、ＭＰＥＧ−２システムのプログラム連結テーブルを拡張した規格にチャンネル名、キャリア周波数などの詳細なる情報を提供する仮想チャンネルテーブル（Ｖｉｒｔｕａｌ　Ｃｈａｎｎｅｌ　Ｔａｂｌｅ、ＶＣＴ）、仮想チャンネルで放送されていたり、今後放送されるプログラムについての情報を時間帯別に案内するために使われるイベント情報テーブル（Ｅｖｅｎｔ　Ｉｎｆｏｒｍａｔiｏｎ　Ｔａｂｌｅ、ＥＩＴ）、ＥＩＴに収録されたプログラムについての詳細なる付加説明を伝送するための拡張本文テーブル（Ｅｘｔｅｎｄｅｄ　Ｔｅｘｔ　Ｔａｂｌｅ、ＥＴＴ）がある。
【００２５】
　一方、ＤＳＭ−ＣＣとは、マルチメディアサービスを遠隔制御するためにＭＰＥＧで制定した規格である。ＤＳＭ−ＣＣで対象となるシステムはクライアントとサーバに大別されるユーザシステムと、サービス及び資源管理者（Ｓｅｒｖｉｃｅ　ａｎｄ　Ｒｅｓｏｕｒｃｅ　Ｍａｎａｇｅｒ、ＳＲＭ）とを含むネットワークシステムに分類できる。ＤＳＭ−ＣＣではこのように分類されたシステムの間のインタフェースを規定しているが、ユーザシステム間のインタフェースをＵＵ（Ｕｓｅｒ−ｔｏ−Ｕｓｅｒ）、ユーザシステムとネットワークシステムとの間のインタフェースをＵＮ（Ｕｓｅｒ−ｔｏ−Ｎｅｔｗｏｒｋ）と規定する。ＤＳＭ−ＣＣ規格では伝送に関連した物理階層、データ連結階層、伝送階層、遠隔作業呼び出し階層ＲＰＣ　Ｌａｙｅｒ等の必要性を規定している。
【００２６】
　ＵＵインタフェースとＵＮインタフェースとの間にはメッセージが伝わるが、このようなメッセージは定型化されたメッセージヘッダーと実際伝送されるメッセージとよりなる。ＵＵメッセージには遠隔作業呼び出しメッセージ、セッション制御メッセージなどが含まれ、ＵＮメッセージにはネットワーク設定メッセージ、サービス及び資源管理メッセージ、ダウンロードメッセージなどがあるが、このうちＵＮダウンロードメッセージはデータ放送に使われる付加データを伝送するために使われうる。ＵＮダウンロードメッセージを伝える方法には３種類があるが、フロー制御方式ダウンロード及び非フロー制御方式ダウンロード、データカルーセル方式である。フロー制御方式ダウンロードは、１つのサーバから１つのクライアントにデータ全体をフロー制御方式で伝送することであり、非フロー制御方式ダウンロードは、１つのサーバからいくつかのクライアントを対象にデータ全体を伝送することであり、最後にデータカルーセル方式はサーバから周期的にデータを伝送して各クライアン別に自分に必要な一部分のデータだけを伝達されて使用する方式である。この中、ＡＴＳＣでデータ放送に使用するように規定された方式は非フロー制御方式のダウンロードとデータカルーセル方式である。
【００２７】
　図４は、図３に示す第１トランスコーダ３４の一例による詳細なるブロック図であって、ＭＰＥＧ−２ＰＳがＭＰＥＧ−ＴＳに変換される。
【００２８】
　図４を参照すれば、図３に示す信号処理部３２を通じて読取り部３１によって読み取ったマルチストリーム２２がＭＰＥＧ−２ＰＳである場合、入力制御器４１はＰＳデータを受け取るが、内部にバッファを有しておりバッファレベルが低すぎるとレベルが高くなるまでディセーブルされる。出力制御器５５も内部バッファのレベルによってＭＰＥＧ−２ＴＳ出力を制御する。
【００２９】
　ＰＳ分析及び逆多重化器４２は入力制御器４１を通じて提供されるＰＳデータからパック、ＰＥＳ（Ｐａｃｋｅｔｉｚｅｄ　Ｅｌｅｍｅｎｔａｒｙ　Ｓｔｒｅａｍ）を分析してビデオＥＳ（Ｅｌｅｍｅｎｔａｒｙ　Ｓｔｒｅａｍ）、オーディオＥＳを抽出し、パックではＳＣＲ（Ｓｙｓｔｅｍ　Ｃｌｏｃｋ　Ｒｅｆｅｒｅｎｃｅ）を抽出して時間制御器４８に提供し、ＰＥＳヘッダーではＰＴＳ／ＤＴＳ（Ｐｒｅｓｅｎｔａｔｉｏｎ　Ｔｉｍｅ　Ｓｔａｍｐ／Ｄｅｃｏｄｉｎｇ　Ｔｉｍｅ　Ｓｔａｍｐ）を抽出してＰＥＳパケット化器４７に提供する。
【００３０】
　ビデオ再配列器４３はＰＳ分析及び逆多重化器４２から出力されるビデオＥＳからシーケンススタートコードとピクチャースタートコードとを検索してアクセス単位で認識信号を生成し、この時、ＰＴＳ／ＤＴＳが存在するならば、これを内部のレジスターに記憶させる。
【００３１】
　オーディオ再配列器４４はＰＳ分析及び逆多重化器４２から出力されるオーディオＥＳからオーディオ同期情報によってフレーム大きさを求めた後、アクセス単位で認識信号を生成し、この時、ＰＴＳが存在するならば、これを内部のレジスターに記憶させる。ビデオバッファ４５とオーディオバッファ４６とはそれぞれビデオ再配列器４３及びオーディオ再配列器４４の出力を貯蔵するが、ＴＳパケットの最大ペイロード長である１８４バイトが貯蔵できる。
【００３２】
　ＰＥＳパケット化器４７はビデオバッファ４５とオーディオバッファ４６との出力をビデオ再配列器４３とオーディオ再配列器４４で生成された認識信号によってアクセス単位でＰＥＳヘッダーを付け、適切なタイムスタンプを求めた後、制御信号ＰＥＳ　ＲＥＡＤＹをＴＳパケット分配器４９に提供する。時間制御器４８はＰＳ分析及び逆多重化器４２から提供される最初のパックのＳＣＲ値で内部のタイマーをセッティングし、これを基準として次のＳＣＲ値を利用してＡＶパケット生成器５０の時間調整の如何を判定する時間調整信号を生成する。すなわち、タイマーでカウントされた現在のカウント値がＳＣＲ値より大きいか同じであれば、待たずにＡＶパケット生成器５０をイネーブルさせ、小さければタイマーがＳＣＲ値になるまでＡＶパケット生成器５０をディセーブルさせる。また、時間制御器４８の内部タイマーでＳＣＲを利用して作られたＰＣＲ（Ｐｒｏｇｒａｍ　Ｃｌｏｃｋ　Ｒｅｆｅｒｅｎｃｅ）をサンプリングしてＰＳＩ（Ｐｒｏｇｒａｍ　Ｓｐｅｃｉｆｉｃ　Ｉｎｆｏｒｍａｔｉｏｎ）パケットの周期信号を生じてＴＳパケット分配器４９に提供し、ＰＣＲ挿入周期信号を生じてＡＶパケット生成器５０に提供する。
【００３３】
　ＴＳパケット分配器４９はＡＶパケット生成器５０で生成されたＡＶパケット、ヌルパケット生成器５１で生成されたヌルパケット、ＰＡＴパケット生成器５２で生成されたＰＡＴパケット、ＰＭＴパケット生成器５３で生成されたＰＭＴパケットを適当に分配する。優先順位はＡＶパケット＞ＰＡＴパケット、ＰＭＴパケット＞ヌルパケットであり、この時、ＡＶパケットは時間制御器４８で生じる時間調整信号の有無によって時間調整の如何が決定される。また、ＴＳパケット分配器４９はＰＡＴパケットとＰＭＴパケットとを時間制御器４８でＰＳＩ周期信号が生じる度に交互に分配する。ＴＳ多重化器（ＴＳ　ＭＵＸ）５４はＴＳパケット分配器４９から提供されるパケット選択信号によってＡＶパケット、ＰＡＴパケット、ＰＭＴパケット、ヌルパケットを多重化して出力制御器５５を通じてＭＰＥＧ−ＴＳを生じる。
【００３４】
　図５（Ａ）及び図５（Ｂ）は、図４に示す第１トランスコーダ３４によるＭＰＥＧ−ＰＳのＭＰＥＧ−ＴＳへの変換例を示す参考図であって、パック単位のＭＰＥＧ−ＰＳは図５（Ａ）に示すようにパックヘッダーとビデオ、オーディオ、サブピクチャー、ＤＳＩ（Ｄｅｃｏｄｉｎｇ　Ｓｐｅｃｉｆｉｃ　Ｉｎｆｏｒｍａｔｉｏｎ）またはＰＳＩ（Ｐｒｏｇｒａｍ　Ｓｐｅｃｉｆｉｃ　Ｉｎｆｏｒｍａｔｉｏｎ）のためのパケットのためのパケットになっている。第１トランスコーダ３４から出力されるＭＰＥＧ−ＴＳは図５（Ｂ）に示すようにヘッダーとペイロードとよりなる１８８バイトのＴＳパケットになっている。ヘッダーの詳細なる構成と内容とは広く知られているので、ここでは言及しないことにする。
【産業上の利用可能性】
【００３５】
　本発明はＤＴＶのデータと異なる独自規格を有する情報が貯蔵された情報貯蔵媒体上の情報をＤＴＶで再生可能になり、この情報貯蔵媒体を搭載する光記録／再生装置と連結されたディスプレー、特にＤＴＶで情報をディスプレー可能になりＤＴＶを使用するユーザに多様な機能と有用性とを提供できる。
【図面の簡単な説明】
【００３６】
【図１】従来のＤＶＤ−ビデオ再生装置のブロック図である。
【図２】本発明による情報貯蔵媒体に記録されたデータの一例を示す参考図である。
【図３】本発明の一実施例によるＤＴＶストリーム変換装置のブロック図である。
【図４】図３に示す第１トランスコーダの一例による詳細なるブロック図である。
【図５】（Ａ）及び（Ｂ）は図４に示す第１トランスコーダに入力されるＭＰＥＧ−ＰＳのＭＰＥＧ−ＴＳへの変換例を示す参考図である。
【符号の説明】
【００３７】
２０　光ディスク
２１　マルチストリーム
２２　インタラクティブコンテンツ
２３　ナビゲーション情報
３１　読取り部
３２　信号処理部
３３　ナビゲーションエンジン
３４　第１トランスコーダ
３５　第２トランスコーダ
３６　ＤＴＶストリーム生成器
３７　デジタルインタフェース
【図１】
2004064787.tif 000005
【図２】
2004064787.tif 000006
【図３】
2004064787.tif 000007
【図４】
2004064787.tif 000008
【図５】
2004064787.tif 000009